(57)【要約】【課題】装着物の種類を識別可能な照明装置等を提供する。【解決手段】照明装置３０を、撮影用の照明光を照射する照射部３６と、自己の種類を識別させることが可能な識別情報４３を有するとともに照射部３６に装着可能な装着物４０の識別情報４３を、装着物４０の照射部３６に対する装着状態で読み取る読取部６０とを備える構成とした。【選択図】図３
2009020298.tif 000002
【特許請求の範囲】
【請求項１】
撮影用の照明光を照射する照射部と、
自己の種類を識別させることが可能な識別情報を有するとともに前記照射部に装着可能な装着物の前記識別情報を、前記装着物の前記照射部に対する装着状態で読み取る読取部と
を備える照明装置。
【請求項２】
請求項１に記載の照明装置において、
前記読取部は、前記識別情報に含まれる複数の単位情報に対応して複数が設けられること
を特徴とする照明装置。
【請求項３】
請求項１に記載の照明装置において、
前記読取部は、前記照射部に装着された装着物に対して移動可能に設けられ、
前記読取部の移動方向は、前記識別情報に含まれかつ所定の方向に配列された複数の単位情報の配列方向と略同じ方向であること
を特徴とする照明装置。
【請求項４】
請求項３に記載の照明装置において、
前記照射部は、光源と、前記照明光の照射画角を変更するために前記照明光の照射方向に前記光源を移動するズーム機構とを備え、
前記読取部は、前記ズーム機構に設けられること
を特徴とする照明装置。
【請求項５】
請求項１から請求項４までのいずれか１項に記載の照明装置と、
前記読取部の読み取り結果に基づいて前記装着物をカラーフィルタであると認識した場合に、撮像部から出力された信号に応じて生成される画像データの色情報を補正する画像処理部とを備えること
を備えるカメラ。
【請求項６】
照明装置に装着可能な装着物であって、
自己の種類を特定することが可能であり、かつ、前記照明装置に装着された状態で前記照明装置に設けられた読取部によって読み取り可能な識別情報を備えること
を特徴とする照明装置に対する装着物。
【請求項７】
請求項６に記載の照明装置に対する装着物において、
前記識別情報は、複数の単位情報によって形成され、
前記複数の単位情報は、前記照明装置による閃光の照射方向と略同じ方向、又は、直交する方向に配列されること
を特徴とする照明装置に対する装着物。
【請求項８】
請求項７に記載の照明装置に対する装着物において、
前記単位情報は、１ビットデータであること
を特徴とする照明装置に対する装着物。
【請求項９】
請求項５から請求項８までのいずれか１項に記載の照明装置に対する装着物は、
カラーフィルタ、又は、光拡散装置であること
を特徴とする照明装置に対する装着物。
【請求項１０】
撮影用の照明光を照射する照射部を備えた照明装置と、前記照射部に装着可能な装着物とを備えた照明システムであって、
前記装着物は、自己の種類を特定することが可能な識別情報を備え、
前記照明装置は、前記装着物の前記照射部に対する装着状態で前記識別情報を読み取る読取部を備えること
を特徴とする照明システム。
【請求項１１】
請求項１０に記載の照明システムにおいて、
前記識別情報は、複数の単位情報によって形成され、
前記読取部は、前記識別情報に含まれる前記複数の単位情報に対応して複数が設けられること
を特徴とする照明システム。
【請求項１２】
請求項１０に記載の照明システムにおいて、
前記識別情報は、所定の方向に配列されて設けられた複数の単位情報によって形成され、
前記読取部は、前記装着物に対し前記複数の単位情報の配列方向と略同じ方向に移動可能に設けられること
を特徴とする照明システム。
【請求項１３】
請求項１２に記載の照明システムにおいて、
前記照射部は、光源と、前記照明光の照射画角を変更するために前記照明光の照射方向に前記光源を移動するズーム機構とを備え、
前記読取部は、前記ズーム機構に設けられること
を特徴とする照明システム。
【請求項１４】
請求項１１から請求項１３までのいずれか１項に記載の照明システムにおいて、
前記単位情報は、１ビットデータであること
を特徴とする照明システム。
【請求項１５】
請求項１０から請求項１４までのいずれか１項に記載の照明システムにおいて、
前記装着物は、カラーフィルタ又は光拡散装置であること
を特徴とする照明システム。
【請求項１６】
請求項１５に記載の照明システムと、前記照明装置が接続可能なカメラ本体とを備えるカメラシステムであって、
前記カメラ本体は、
前記照明装置と通信して前記読取部の出力を取得する通信部と、
前記通信部の出力に基づいて前記装着物をカラーフィルタであると認識した場合に、撮像部から出力された信号に応じて生成される画像データの色情報を補正する画像処理部とを備えること
を特徴とするカメラシステム。
【発明の詳細な説明】
【技術分野】
【０００１】
本発明は、照明装置、照明装置に対する装着物、カメラ、照明システム、及び、カメラシステムに関するものである。
【背景技術】
【０００２】
カメラは、照明装置から伝達される発光量情報や被写体の照度情報等に基づいてホワイトバランス調整を行うものが知られている（例えば、特許文献１参照）。
【特許文献１】特開２００７−３６７１８号公報
【０００３】
ここで、照明装置にカラーフィルタ等を装着すると、照明光の色温度が変化する。従来、撮影者がカラーフィルタを照明装置の発光部上に装着した場合は、撮影者自らがその旨をカメラに対して手動で入力し、カメラ側は、その手入力されたカラーフィルタ情報に基づいてホワイトバランス調整を適正に制御するようにしている。
【発明の開示】
【発明が解決しようとする課題】
【０００４】
しかし、カラーフィルタは、使用目的に応じて多数の種類が存在しており、撮影者がカラーフィルタの種類に応じて、その都度、色温度情報等を手動で入力を行うことは煩雑である。
【０００５】
本発明の課題は、装着物の種類を識別可能な照明装置、照明装置に対して自己の種類を識別させることが可能な装着物、照明装置に対する装着物の種類を識別可能な照明システム、照明装置に対する装着物の種類に応じた画像処理を行うことができるカメラ及びカメラシステムを提供することである。
【課題を解決するための手段】
【０００６】
本発明は、以下のような解決手段により、前記課題を解決する。ここでは理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
請求項１に記載の発明は、撮影用の照明光を照射する照射部（３６）と、自己の種類を識別させることが可能な識別情報（４３）を有するとともに前記照射部に装着可能な装着物（４０）の前記識別情報を、前記装着物の前記照射部に対する装着状態で読み取る読取部（６０）とを備える照明装置（３０）である。
【０００８】
請求項２の発明は、請求項１に記載の照明装置において、前記読取部（１６０）は、前記識別情報（４３）に含まれる複数の単位情報（４４）に対応して複数が設けられることを特徴とする照明装置（１３０）である。
請求項３の発明は、請求項１に記載の照明装置において、前記読取部（６０）は、前記照射部（３６）に装着された装着物（４０）に対して移動可能に設けられ、前記読取部の移動方向は、前記識別情報に含まれかつ所定の方向に配列された複数の単位情報（４４）の配列方向と略同じ方向であることを特徴とする照明装置（３０）である。
請求項４の発明は、請求項３に記載の照明装置において、前記照射部（３６）は、光源（３６ａ）と、前記照明光の照射画角を変更するために前記照明光の照射方向に前記光源を移動するズーム機構（３７）とを備え、前記読取部（６０）は、前記ズーム機構に設けられることを特徴とする照明装置（３０）である。
【０００９】
請求項５の発明は、請求項１から請求項４までのいずれか１項に記載の照明装置（３０）と、前記読取部（６０）の読み取り結果に基づいて前記装着物（４０）をカラーフィルタであると認識した場合に、撮像部（１１）から出力された信号に応じて生成される画像データの色情報を補正する画像処理部（１６）とを備えることを備えるカメラ（１０）である。
【００１０】
請求項６の発明は、照明装置（３０）に装着可能な装着物であって、自己の種類を特定することが可能であり、かつ、前記照明装置に装着された状態で前記照明装置に設けられた読取部（６０）によって読み取り可能な識別情報（４３）を備えることを特徴とする照明装置に対する装着物（４０）である。
請求項７の発明は、請求項６に記載の照明装置に対する装着物において、前記識別情報（４３）は、複数の単位情報（４４）によって形成され、前記複数の単位情報は、前記照明装置（３０）による閃光の照射方向と略同じ方向、又は、直交する方向に配列されることを特徴とする照明装置に対する装着物（４０）である。
請求項８の発明は、請求項７に記載の照明装置に対する装着物において、前記単位情報（４４）は、１ビットデータであることを特徴とする照明装置に対する装着物（４０）である。
請求項９の発明は、請求項５から請求項８までのいずれか１項に記載の照明装置に対する装着物は、カラーフィルタ、又は、光拡散装置であることを特徴とする照明装置に対する装着物（４０）である。
【００１１】
請求項１０の発明は、撮影用の照明光を照射する照射部（３６）を備えた照明装置（３０）と、前記照射部に装着可能な装着物（４０）とを備えた照明システムであって、前記装着物（４０）は、自己の種類を特定することが可能な識別情報（４３）を備え、前記照明装置は、前記装着物の前記照射部に対する装着状態で前記識別情報を読み取る読取部（３０）を備えることを特徴とする照明システム（３０、４０）である。
請求項１１の発明は、請求項１０に記載の照明システムにおいて、前記識別情報（４３）は、複数の単位情報（４４）によって形成され、前記読取部（６０）は、前記識別情報に含まれる前記複数の単位情報に対応して複数が設けられることを特徴とする照明システム（１３０、４０）である。
請求項１２の発明は、請求項１０に記載の照明システムにおいて、前記識別情報（４３）は、所定の方向に配列されて設けられた複数の単位情報（４４）によって形成され、前記読取部（６０）は、前記装着物に対し前記複数の単位情報の配列方向と略同じ方向に移動可能に設けられることを特徴とする照明システム（３０、４０）である。
請求項１３の発明は、請求項１２に記載の照明システムにおいて、前記照射部（３６）は、光源（３６ａ）と、前記照明光の照射画角を変更するために前記照明光の照射方向に前記光源を移動するズーム機構（３７）とを備え、前記読取部（６０）は、前記ズーム機構に設けられることを特徴とする照明システム（３０、４０）である。
請求項１４の発明は、請求項１１から請求項１３までのいずれか１項に記載の照明システムにおいて、前記単位情報は、１ビットデータ（４４）であることを特徴とする照明システム（３０、４０）である。
請求項１５の発明は、請求項１０から請求項１４までのいずれか１項に記載の照明システムにおいて、前記装着物（４０）は、カラーフィルタ又は光拡散装置であることを特徴とする照明システム（３０、４０）である。
【００１２】
請求項１６の発明は、請求項１５に記載の照明システム（３０、４０）と、前記照明装置（３０）が接続可能なカメラ本体（１０）とを備えるカメラシステムであって、前記カメラ本体は、前記照明装置と通信して前記読取部（６０）の出力を取得する通信部（１５）と、前記通信部の出力に基づいて前記装着物（４０）をカラーフィルタであると認識した場合に、撮像部（１１）から出力された信号に応じて生成される画像データの色情報を補正する画像処理部（１６）とを備えることを特徴とするカメラシステム（１）である。
【発明の効果】
【００１３】
本発明によれば、装着物の種類を識別可能な照明装置、照明装置に対して自己の種類を識別させることが可能な装着物、照明装置に対する装着物の種類を識別可能な照明システム、照明装置に対する装着物の種類に応じた画像処理を行うことができるカメラ及びカメラシステムを提供することができる。
【発明を実施するための最良の形態】
【００１４】
［第１実施形態］
以下、図面を参照して、本発明の実施形態をあげて、さらに詳しく説明する。以下の実施形態は、照明装置に対する装着物としてカラーフィルタを例にとって説明する。また、理解を容易にするため、各図面に適宜Ｘ軸−Ｙ軸−Ｚ軸から成る座標系を設定して説明する。
【００１５】
図１は、第１実施形態のカメラシステムを示す斜視図である。
図２は、図１に示すカメラシステムの構成を示すブロック図である。
図１に示すように、カメラシステム１は、カメラ本体１０、レンズ鏡筒２０、及び、照明装置３０を備えている。
【００１６】
カメラ本体１０は、図２に示すように、撮像部１１、画像データ生成部１２、表示部１３、アクセサリーシュー１４、通信部１５、及び、ホワイトバランス制御部１６（ＷＢ制御部１６）を備えた撮像装置である。
撮像部１１は、レンズ鏡筒２０に備えられた撮影レンズ２１を通過した被写体光を電気信号に変換する部分である。撮像部１１には、例えば、ＣＣＤ等を使用することができる。
画像データ生成部１２は、撮像部１１から出力される信号に基づいて画像データを生成する部分である。
表示部１３は、撮影済みの画像やメニュー画面を表示する部分である。
【００１７】
アクセサリーシュー１４は、照明装置３０等の外部機器が接続される部分である。アクセサリーシュー１４は、照明装置３０がカメラ本体１０に装着された状態で、照明装置３０に備えられた取付脚３３と機械的に係合するようになっている。
アクセサリーシュー１４は、複数の図示しない電気接点を備えている。照明装置３０の取付脚３３にも、これらの電気接点に対応した複数の図示しない電気接点が設けられており、照明装置３０がカメラ本体１０本体に装着された状態で、照明装置３０とカメラ本体１０とは、電気的に接続されるようになっている。
通信部１５は、上述した複数の電気接点を介して照明装置３０と通信を行う部分であり、カメラ本体１０は、照明装置３０に関する各種情報を取得することができるようになっている。
【００１８】
ＷＢ制御部１６は、人間の目で白く見える被写体を、光源（例えば、蛍光灯、白熱電球、太陽光、後述する照明装置３０等）が発する光の色温度に関わらず白色で再現するように、画像データに含まれる色情報を自動的に調整する公知の色補正制御を行う部分である。
【００１９】
レンズ鏡筒２０は、カメラ本体１０に着脱可能に装着される交換レンズであり、撮影レンズ２１及び通信部２２を備えている。
撮影レンズ２１は、例えば、ズームレンズ群を含む複数のレンズ群によって形成されている。
通信部２２は、カメラ本体１０に設けられた通信部１５と通信を行う部分である。
【００２０】
照明装置３０は、カメラ本体１０を用いた撮影時に撮影用の照明光を被写体等に向けて照射するものであり、一般に、フラッシュ装置、スピードライト装置等と称されているものである。
照明装置３０は、ベース部３１、ヘッド部３２、取付脚３３、表示部３４、通信部３５、照射部３６、ズーム機構３７、及び、制御部３８を備えている（ベース部３１及びヘッド部３２は、図１参照）。
図３は、照明装置の内部構造を示す図である。
【００２１】
ベース部３１は、図示しないバッテリ等を収容する箱型の部分である。ベース部３１は、その一端部に後述する取付脚３３を備えており、この取付脚３３を介してカメラ本体１０に接続されるようになっている。
ヘッド部３２は、ベース部３１の他端部に接続された箱型の部分である。ヘッド部３２は、ベース部３１に対して、図１のＹ軸回り、及び、Ｘ軸回りにそれぞれ回転可能に設けられており、照明装置３０は、いわゆる、バウンス撮影が可能になっている。
【００２２】
取付脚３３は、前述したアクセサリーシュー１４に機械的に係合することによって、カメラ本体１０と照明装置３０とを機械的、電気的に接続するようになっている。
表示部３４は、ベース部３１に設けられている。表示部３４は、ズームレンズの焦点距離や、調光可能範囲等を表示可能な液晶表示パネルを備えている。
通信部３５は、カメラ本体１０に設けられた通信部１５と通信を行う部分である。
【００２３】
照射部３６は、照明光を照射する部分であり、ヘッド部３２に設けられている。照射部３６は、図３に示すように、発光管３６ａ、反射板３６ｂ、レンズ３６ｃを備えている。
発光管３６ａは、照明装置３０に備えられた図示しないコンデンサに蓄電された電気が供給されることによって照明光（閃光）を発光する照明装置３０の光源である。発光管３６ａには、例えば、キセノンランプ等を使用することができる。図３において、照射部３６の照射方向は、Ｚ軸方向に平行となっているが、バウンス撮影時における照射方向は、Ｚ軸に対して傾斜した方向となる。
反射板３６ｂは、発光管３６ａに対して、照明光の照射方向後方に備えられている。反射板３６ｂは、発光管３６ａが照射方向後方に発光する光を照射方向に反射するようになっている。
レンズ３６ｃは、発光管３６ａに対して照明光の照射方向前方に備えられたフレネルレンズであって、発光管３６ａから照射される照射光を所定の範囲に集光する。
【００２４】
ズーム機構３７は、レンズ鏡筒２０に備えられたズームレンズの焦点距離に応じて、発光管３６ａ及び反射板３６ｂを照射方向に進退動作させるものである。焦点距離に関する情報は、カメラ本体１０本体に設けられた通信部１５から送信される。照射部３６は、これによって、発光管３６ａとレンズ３６ｃとの距離が変化し、照明光の照射画角が変化するようになっている。
【００２５】
ズーム機構３７は、ズームステージ３７ａとアクチュエータ３７ｂとを備えている。
ズームステージ３７ａは、発光管３６ａ及び反射板３６ｂを支持する部分である。ズームステージ３７ａは、箱形に形成されたヘッド部筐体３２ａの内部に収容され、このヘッド部筐体３２ａの底部に対向して配置されている。
【００２６】
アクチュエータ３７ｂは、ズームステージ３７ａをヘッド部筐体３２ａに対して駆動する電動モータであり、ヘッド部筐体３２ａに固定されている。アクチュエータ３７ｂの出力軸には、ピニオン３７ｃが設けられており、このピニオン３７ｃは、ズームステージ３７ａに備えられたラック３７ｄに噛み合っている。
制御部３８（図２参照）は、上述した表示部３４、通信部３５、照射部３６、ズーム機構３７等を統括的に制御する部分であり、例えば、ＣＰＵ等の演算装置を備えている。
【００２７】
ここで、照明装置３０は、図１に示すように、レンズ３６ｃに対してカラーフィルタ４０を装着することができるようになっている。カラーフィルタ４０は、照明装置３０が照射する照明光を補正又は着色するものである。照明装置３０とカラーフィルタ４０とは、協働して照明システムとして機能する。
図４は、カラーフィルタの平面図である。
この図４において、（ａ）、（ｂ）は、例えば、それぞれの色が異なる別種のカラーフィルタ４０ａ、４０ｂを示している。
【００２８】
カラーフィルタ４０は、図４に示すカラーフィルタ４０ａ、４０ｂ以外にも、例えば、色等が異なる複数種類が照明装置３０に対して装着可能に用意されており、複数種類のカラーフィルタ４０は、それぞれ略同じ外形形状を有している。本明細書において、単にカラーフィルタ４０といった場合には、図４に示すカラーフィルタ４０ａ、４０ｂを含む、照明装置３０に装着可能な複数種類のカラーフィルタをさすものとする。
照明装置３０は、これらの複数種類のカラーフィルタ４０のうちのひとつが選択的に装着されるようになっている。
【００２９】
カラーフィルタ４０は、フィルタ部４１（４１ａ、４１ｂ）とデータ保持部４２（４２ａ、４２ｂ）とを備えている。
フィルタ部４１は、照明装置３０に対する装着状態でレンズ３６ｃに重ねて配置される部分である。
データ保持部４２は、後述するデータコード４３が設けられた部分であって、照明装置３０に対する装着状態でヘッド部筐体３２ａの底部に対向する。データ保持部４２は、フィルタ部４１と一体に形成されおり、カラーフィルタ４０は、照明装置３０に対して装着される際には、図１に示すように、フィルタ部４１とデータ保持部４２との境界部分で略直角に折り曲げられる。
【００３０】
カラーフィルタ４０を照明装置３０に装着する際には、フィルタホルダ５０が使用される。
フィルタホルダ５０は、図１に示すように、ヘッド部３２の照射方向先端部に被せて使用されるカップ状の部材である。図２及び図３は、フィルタホルダ５０を省略して示している。
照明装置３０のヘッド部３２には、図３に示すように、フィルタホルダ５０の着脱状態を検出するスイッチ３２ｂが設けられている。これによって、照明装置３０は、ヘッド部３２にフィルタホルダ５０が装着されたこと、及び、ヘッド部３２からフィルタホルダ５０が取り外されたことを検出できるようになっている。スイッチ３２ｂの種類は、特に限定されず、例えば、可動式の接触部材を備えた機械的なスイッチでも、電気接点を備えた電気的なスイッチでもよい。
【００３１】
ここで、カラーフィルタ４０ａ、４０ｂは、それぞれ自己（カラーフィルタ４０）の種類を識別させることが可能な識別情報であるデータコード４３（４３ａ、４３ｂ）を備えている。
データコード４３は、カラーフィルタ４０のデータ保持部４２に設けられた複数（本実施形態では４つ）の単位データ４４（４４ａ、４４ｂ）によって形成されている。４つの単位データ４４は、カラーフィルタ４０が照明装置３０に装着された状態で、ズームステージ３７ａの移動方向、すなわち、照明光の照射方向に略平行となるように配置されている。
単位データ４４は、データ保持部４２を形成する基材の色と反射率が異なる矩形の領域によって形成されており、１ビットデータ（１か０かを識別可能なデータ）として機能するようになっている。カラーフィルタ４０は、４つの１ビットデータの組み合わせによって、後述する読取部６０に自己の種類を識別させるようになっている。
【００３２】
ヘッド部筐体３２ａには、カラーフィルタ４０が装着された状態でデータコード４３と重なる部分に、透光性を有する材料で形成された透光部３２ｃが設けられている。
【００３３】
照明装置３０は、上述のデータコード４３を読み取る読取部６０を備えている。
図５は、図３に示す読取部の構造を示す回路図である。
読取部６０は、データ保持部４２に設けられたデータコード４３に対して光を照射する発光ダイオード（ＬＥＤ）６１と、この発光ダイオード６１から照射され、データ保持部４２で反射された光を検出するフォトトランジスタ６２とを備えた光センサである。フォトトランジスタ６２の出力は、Ａ／Ｄコンバータ６３を介して制御部３８に備えられたＣＰＵに伝達される。
読取部６０は、図３に示すように、ズームステージ３７ａに取り付けられており、ズームステージ３７ａと一体に照射方向に進退動作するようになっている。
【００３４】
照明装置３０は、図２に示すように、カラーフィルタ４０の種類に応じた色温度情報が記録されたメモリ装置３９を備えており、制御部３８は、読取部６０の出力、及び、上記メモリ装置３９に記録された色温度情報に基づいて表示部３４に装着されたフィルタの情報、例えば、色温度情報等を表示するようになっている。
【００３５】
次に、カメラシステム１の照明装置３０に備えられた制御部３８、及び、カメラ本体１０に備えられたＷＢ制御部１６が行う制御について、フローチャートを用いてステップ毎に説明する。なお、この制御は、ホワイトバランスを自動的に調整するオートＷＢモードがカメラ本体１０側で選択されている場合に行われる。
図６（Ａ）は、制御部３８が行う制御を示すフローチャートであり、図６（Ｂ）は、ＷＢ制御部１６が行う制御を示すフローチャートである。
【００３６】
［図６（Ａ）：照明装置側制御フロー］
（ステップＳ０１：フィルタホルダ着脱検出）
照明装置３０は、電源がオンの状態である場合には、スイッチ３２ｂの出力に応じて、フィルタホルダ５０が装着されたこと、又は、フィルタホルダ５０が照明装置３０から取り外されたことを検出し、データコード４３の読み取り動作を開始する（ステップＳ０２に進む）。
また、照明装置３０は、電源がオフ状態からオン状態とされた際にも、データコード４３の読み取り動作を開始する（ステップＳ０２に進む）。
【００３７】
フィルタホルダ５０が照明装置３０から取り外された際にデータコード４３の読み取りを行うのは、実際にカラーフィルタ４０が取り外されたことを確認するためである。
また、照明装置３０の電源オン時にデータコード４３の読み取りを行うのは、電源オフ時にカラーフィルタ４０が装着される可能性があるからである。
フィルタホルダ５０の検出がされない場合、制御部３８は、カラーフィルタ４０が装着されていないものとみなし、ステップＳ０６に進む。
【００３８】
（ステップＳ０２：ズームステージ駆動）
制御部３８は、読取部６０が所定の読取開始位置以外の位置にある場合には、ズームステージ３７ａ駆動して読取部６０を読取開始位置に移動させる。本実施形態において、読取開始位置は、例えば、ズーム機構３７のワイド位置又はテレ位置となっているが、これに限定されるものではない。
制御部３８は、ズーム機構３７がテレ位置とワイド位置との中間に位置している場合、テレ位置及びワイド位置の近い側にズームステージ３７ａを駆動して、読取部６０を読取開始位置に移動させる。
制御部３８は、この後、アクチュエータ３７ｂを制御して、ズームステージ３７ａをワイド位置からテレ位置へ、又は、テレ位置からワイド位置へ駆動する。
【００３９】
（ステップＳ０３：データコード読み取り）
制御部３８は、ステップＳ０２におけるズームステージ３７ａを移動させる制御と併せて、読取部６０に命令を発して、カラーフィルタ４０に設けられたデータコード４３を読み取らせる。読取部６０の出力は、Ａ／Ｄコンバータ６３によってＡ／Ｄ変換され、制御部３８に出力される。
制御部３８は、読取部６０によるデータコード４３の読み取りが正常に完了した場合、ステップＳ０４に進む。これに対し、カラーフィルタ４０がコードデータを備えていないものである場合等、データコード４３の読み取りができない場合は、読取部６０の出力エラーとなり、制御部３８は、このエラー信号に応じてステップＳ０５に進む。
【００４０】
（ステップＳ０４：色温度表示）
制御部３８は、読取部６０の出力とメモリ装置３９に記録された情報とに基づいて、照明装置３０が照射する照明光の色温度を判定し、この色温度情報を表示部３４に表示させ、ステップＳ０６に進む。
（ステップＳ０５：エラー表示）
制御部３８は、表示部３４にカラーフィルタ４０のデータコード４３読み取りが不能である旨のエラー表示を行い、ステップＳ０６に進む。
【００４１】
（ステップＳ０６：色温度情報伝達）
制御部３８は、照明装置３０の通信部３５及びカメラ本体１０の通信部１５を介して、読取部６０が取得した色温度情報をカメラ本体１０に伝達する。
また、ステップＳ０１で、カラーフィルタ４０が未装着であると判定された場合、及び、ステップＳ０３でデータコード４３の読み取りができない場合であっても、照明装置３０の制御部３８は、カメラ本体１０に色温度情報を伝達する。このときの色温度は、発光管３６ａが発光する生の光の色温度である。
【００４２】
［図６（Ｂ）：カメラ本体側制御］
次に、ＷＢ制御部１６の制御について説明する。照明装置３０から色温度情報が通信部３５を介して通信部１５で受信されると、本フローはスタートする。
（ステップＳ１０：色温度情報記録）
カメラ本体１０は、ステップＳ０６で照明装置３０から伝達された色温度情報を図示しないメモリ装置に記録する。この後、カメラ本体１０に備えられたレリーズスイッチの操作に応じて、照明装置３０にモニタ発光（プリ発光）を行わせる指令を出してステップＳ１１に進む。
【００４３】
（ステップＳ１１：測光）
照明装置３０は、この指令に応じてプリ発光を行い、そのときにカメラ本体１０に備えられた図示しない測光部が、このプリ発光時の被写体輝度を測定し、ステップＳ１２に進む。
【００４４】
（ステップＳ１２：ＷＢ調整）
ＷＢ制御部１６は、測光部の出力に応じてホワイトバランスの設定を行う。ここで、ＷＢ制御部１６は、照明装置３０が照射する予定の照明光の色温度情報が照明装置３０から予め伝達されている（ステップＳ１０で保持されている）ので、ＷＢ調整の精度が向上する。
カメラシステム１は、この後、撮影者によるレリーズスイッチの操作に応じて、撮像部１１に被写体光の露光を行い、画像データ生成部１２が撮像部１１の出力に応じて画像データを生成する。この画像データは、ＷＢ制御部１６が設定したホワイトバランスに応じて色情報が補正される。
【００４５】
以上説明したカメラシステム１によれば、以下の効果を得ることができる。
（１）カラーフィルタ４０にデータコード４３を設けるとともに、照明装置３０にデータコード４３を読み取る読取部６０を設けたので、カメラシステム１のユーザは、カメラ本体１０に対してカラーフィルタ４０の種類を手動で入力する必要がなく便利である。
（２）データコード４３を読み取る読取部６０を、照明装置３０に予め設けられたズーム機構３７に設けたので、複数の単位情報を読み取るために読取部６０を走査させる機構を別途設ける必要がない。したがって、照明装置３０の大型化を防止でき、かつ、コストダウンが可能である。
【００４６】
［第２実施形態］
次に、本発明を適用した照明装置の第２実施形態について説明する。この第２実施形態及びその他の実施形態において、上述した第１実施形態と同様な機能を果たす部分には、同一の符号又は末尾に統一した符号を付して、重複する説明や図面を適宜省略する。
図７は、第２実施形態の照明装置の内部構造を示す図である。
【００４７】
第２実施形態の照明装置１３０は、照射画角が固定されたタイプであり、第１実施形態の照明装置３０に備えられたズーム機構３７に相当する機構を備えていない。
照明装置１３０は、カラーフィルタ４０に設けられたデータコード４３を形成する複数の単位データ４４に対応して、複数のセンサ部１６０を備えている。第２実施形態の照明装置１３０では、照明光の照射方向に沿って、例えば、４つのセンサ部１６０が配列されている。
【００４８】
照明装置１３０は、４つのセンサ部１６１のそれぞれが、対向する単位データ４４を読み取って制御部１６２（制御部１６２は、図示を省略する）に出力し、制御部１６２は、この出力に応じてカラーフィルタ４０の種類と、これに応じた照明光の色温度とを判定する。
【００４９】
第２実施形態によれば、ズーム機構を備えていない簡易タイプの照明装置１３０であっても、カラーフィルタ４０に設けられたデータコード４３に基づいてカラーフィルタ４０の種類の判定を行うことができる。
また、複数のセンサ部１６１を照明光の照射方向に沿って配列したので、カラーフィルタ４０は、第１実施形態の照明装置３０、及び、第２実施形態の照明装置１３０に、共通して使用することができる。
【００５０】
［変形形態］
本発明の照明装置、照明装置に対する装着物、カメラ、照明システム、及び、カメラシステムは、以上説明した実施形態に限定されることなく、以下に示すような種々の変形や変更が適宜可能であり、それらも本発明の技術的範囲内に含まれる。
（１）実施形態において、照明装置に装着される装着物は、カラーフィルタであったが、装着物は、これに限らず、例えば、照明光を拡散する光拡散装置であってもよい。実施形態は、カラーフィルタに応じてＷＢの調整を行ったが、光拡散装置が装着された場合、照明装置のズーム機構をワイド位置に自動的に駆動する制御を行うとよい。
（２）実施形態の読取部は、光センサを備えていたが、読取部とデータコード４３の構成は、これに限られない。例えば、データコードを磁性材料によって形成するとともに、読取部のセンサを磁気センサとしてもよい。
（３）第２実施形態のデータコードを形成する複数の単位データは、図３の如く照射方向に平行に配列されたが、これに限らず、複数の単位データを照射方向に直交する方向に配列するとともに、複数のセンサ部をこれに対応して配列してもよい。この場合、照明装置の照射方向における寸法を小さくできる。
（４）本発明は、実施形態に記載した、いわゆる外付型照明装置以外にも、カメラ本体に備えられた内蔵型照明装置にも適用することもできる。この場合、カメラ本体側に装着物に応じた色温度情報等が記録されたメモリ装置等を設けるとよい。
【図面の簡単な説明】
【００５１】
【図１】第１実施形態のカメラシステムを示す斜視図である。
【図２】図１に示すカメラシステムの構成を示すブロック図である。
【図３】図１に示すカメラシステムに備えられた照明装置の内部構造を示す図である。
【図４】図３に示す照明装置に装着されるカラーフィルタの平面図である。
【図５】図２に示すカメラシステムに備えられた読取部の構成を示す回路図である。
【図６】図１に示すカメラシステムがカラーフィルタに応じたＷＢ調整を行う際の制御を示すフローチャートである。
【図７】第２実施形態の照明装置の内部構造を示す図である。
【符号の説明】
【００５２】
１  カメラシステム  ：  １０カメラ本体  ：  ３０  照明装置  ：  ３６  照射部  ：  ４０  カラーフィルタ  ：  ４３  データコード  ：  ６０  読取部
【図１】
2009020298.tif 000003
【図２】
2009020298.tif 000004
【図３】
2009020298.tif 000005
【図４】
2009020298.tif 000006
【図５】
2009020298.tif 000007
【図６】
2009020298.tif 000008
【図７】
2009020298.tif 000009